(57)【要約】【課題】メニューからの選択をより容易に行うことができるようにする。【解決手段】各階層ごとに存在するメニューと、各階層ごとのメニューを画面に表示する表示手段と、前記画面において所望のメニューを所定の選択位置に位置させるためのスクロール、又は表示画面の切替えに関する指示操作を行わせるためのタッチパネルとを備えた選択表示装置において、表示手段により表示画面を表示し、タッチパネル上で指先を、前記スクロールの方向に平行な第１の方向に移動させる操作があった場合には、表示中の表示画面においてメニューのスクロールを行い（ステップ４４）、第１の方向に垂直な第２の方向に移動させる操作があった場合には、表示中の表示画面を、その上位の表示画面又は選択位置にあるメニューの下位のメニューを表示画面に表示するように切り替える（ステップ４６）制御手段とを設け、表示画面と指示操作が一体的に表現できるようにする。【選択図】図４
2009245012.tif 000002
【特許請求の範囲】
【請求項１】
各階層ごとに存在するメニューと、
各階層ごとのメニューを画面に表示する表示手段と、
前記画面において所望のメニューを所定の選択位置に位置させるためのスクロール、又は表示画面の切替えに関する指示操作を行わせるためのタッチパネルと、
前記表示手段により前記表示画面を表示し、前記タッチパネル上で指先を、前記スクロールの方向にほぼ平行な第１の方向に移動させる操作があった場合には、表示中の表示画面においてメニューの前記スクロールを行い、前記第１の方向にほぼ垂直な第２の方向に移動させる操作があった場合には、表示中の表示画面を、その上位の表示画面又は前記選択位置にあるメニューの下位のメニューを表示画面に表示するように切り替える制御手段とを有し、表示画面と指示操作が一体的に表現できることを特徴とする選択表示装置。
【請求項２】
前記表示手段上の前記表示画面が表示される表示面部分及び前記タッチパネル上の前記指示操作を行うための操作面部分により装置上の１つの面が構成されており、
各表示画面の表示に際し、
前記表示面部分から前記操作面部分にかけて、前記第２の方向に平行な縞により構成されるボーダー模様が形成され、
前記表示面部分におけるボーダー模様部分は前記表示手段により形成され、
前記操作面部分におけるボーダー模様部分は前記タッチパネル上に付された縞模様により形成され、
メニューは前記表示面部分におけるボーダー模様部分を構成する各縞の間に表示されることを特徴とする請求項１に記載の選択表示装置。
【請求項３】
前記制御手段は各表示画面の表示に際し、
前記選択位置に表示されるメニューは、他の位置に表示されているメニューよりも目立つように表示し、
前記ボーダー模様を構成する各縞のうち、前記選択位置の近傍におけるものは、前記選択位置を中心として膨らんだように表示することを特徴とする請求項２に記載の選択表示装置。
【請求項４】
前記制御手段は、前記第１の方向に指先を移動させる操作があった場合、指先の移動に伴い、表示中の表示画面を、該表示画面上のボーダー模様とともに前記第１の方向に移動させることにより前記スクロールを行うことを特徴とする請求項２又は３に記載の選択表示装置。
【請求項５】
前記制御手段は、前記第２の方向に指先を移動させる操作があった場合、指先の移動に伴い、表示中の表示画面上のボーダー模様の濃淡を該移動方向において変化させながら前記表示画面の切替えを行うことを特徴とする請求項２〜４のいずれか１項に記載の選択表示装置。
【請求項６】
コンテンツデータを記憶している記憶手段と、
前記記憶手段に記憶されているコンテンツデータに基づいてコンテンツの再生を行う再生手段と、
請求項１〜５のいずれかの選択表示装置とを備え、
前記選択表示装置は、再生したいコンテンツの検索を行うために用いられることを特徴とするコンテンツ再生装置。
【請求項７】
請求項１〜５の選択表示装置における制御手段としてコンピュータを機能させることを特徴とするプログラム。
【請求項８】
各階層ごとに存在するメニューと、
各階層ごとのメニューを画面に表示する表示手段と、
前記画面において所望のメニューを所定の選択位置に位置させるためのスクロール、又は表示画面の切替えに関する指示操作を行わせるためのタッチパネルとを備えた選択表示装置における選択表示方法であって、
前記表示手段により前記表示画面を表示し、前記タッチパネル上で指先を、前記スクロールの方向にほぼ平行な第１の方向に移動させる操作があった場合には、表示中の表示画面においてメニューの前記スクロールを行い、前記第１の方向にほぼ垂直な第２の方向に移動させる操作があった場合には、表示中の表示画面を、その上位の表示画面又は前記選択位置にあるメニューの下位のメニューを表示画面に表示するように切り替えることにより、表示画面と指示操作が一体的に表現できることを特徴とする選択表示方法。
【発明の詳細な説明】
【技術分野】
【０００１】
本発明は、各階層毎のメニューを表示し、メニューの選択を受け入れる選択表示装置、該装置を備えたコンテンツ再生装置、前記選択表示装置における制御手段としてコンピュータを機能させるプログラム、及び前記選択表示装置における選択表示方法に関する。
【背景技術】
【０００２】
従来、楽曲データに基づいて楽曲の再生を行うポータブルプレーヤは、再生したい楽曲の選択を行うためのメニュー等を表示する表示部、及び表示されたメニューからの選択等を行う操作ボタン等を有する操作部を備える。メニューからの選択は、上ボタンや下ボタンの押下によりカーソルを所望の選択項目に位置づけて選択ボタンを押下する等により行うことができるようになっている。
【０００３】
一方、タッチパネルを見なくても指先の感触だけで機能の選択を行うことができるようにするために、パネル面上に、指先で接触することにより特定し得る凹凸パターンを各機能に対応させて形成したタッチパネルが案出されている（たとえば、特許文献１参照）。
【０００４】
【特許文献１】特開平５−４６３１３号公報
【発明の開示】
【発明が解決しようとする課題】
【０００５】
しかしながら、上述従来のポータブルプレーヤによれば、表示部における選択メニュー等の表示、及び操作部の操作ボタン等の形状において、デザイン的な関連性が少ない。すなわち、どのポータブルプレーヤにおいても、操作部におけるボタン等の形状は似ているにもかかわらず、決定や選択ボタン等の操作方法が異なり、画面もばらばらで統一感がないため、操作に慣れるのに時間がかかり、必ずしも容易に操作できるようにはなっていない。
【０００６】
本発明の目的は、このような従来技術の問題点に鑑み、コンテンツ再生装置において、メニューからの選択をより容易に行うことができるようにすることにある。
【課題を解決するための手段】
【０００７】
この目的を達成するため、第１の発明に係る選択表示装置は、各階層ごとに存在するメニューと、各階層ごとのメニューを画面に表示する表示手段と、前記画面において所望のメニューを所定の選択位置に位置させるためのスクロール、又は表示画面の切替えに関する指示操作を行わせるためのタッチパネルと、前記表示手段により前記表示画面を表示し、前記タッチパネル上で指先を、前記スクロールの方向にほぼ平行な第１の方向に移動させる操作があった場合には、表示中の表示画面においてメニューの前記スクロールを行い、前記第１の方向にほぼ垂直な第２の方向に移動させる操作があった場合には、表示中の表示画面を、その上位の表示画面又は前記選択位置にあるメニューの下位のメニューを表示画面に表示するように切り替える制御手段とを有し、表示画面と指示操作が一体的に表現できることを特徴とする。
【０００８】
第２の発明に係る選択表示装置は、第１発明において、前記表示手段上の前記表示画面が表示される表示面部分及び前記タッチパネル上の前記指示操作を行うための操作面部分により装置上の１つの面が構成されており、各表示画面の表示に際し、前記表示面部分から前記操作面部分にかけて、前記第２の方向に平行な縞により構成されるボーダー模様が形成され、前記表示面部分におけるボーダー模様部分は前記表示手段により形成され、前記操作面部分におけるボーダー模様部分は前記タッチパネル上に付された縞模様により形成され、メニューは前記表示面部分におけるボーダー模様部分を構成する各縞の間に表示されることを特徴とする。
【０００９】
第３の発明に係る選択表示装置は、第２発明において、前記制御手段は各表示画面の表示に際し、前記選択位置に表示されるメニューは、他の位置に表示されているメニューよりも目立つように表示し、前記ボーダー模様を構成する各縞のうち、前記選択位置の近傍におけるものは、前記選択位置を中心として膨らんだように表示することを特徴とする。
【００１０】
第４の発明に係る選択表示装置は、第２又は第３発明において、前記制御手段は、前記第１の方向に指先を移動させる操作があった場合、指先の移動に伴い、表示中の表示画面を、該表示画面上のボーダー模様とともに該移動方向に移動させることにより前記スクロールを行うことを特徴とする。
【００１１】
第５の発明に係る選択表示装置は、第２〜第４のいずれかの発明において、前記制御手段は、前記第２の方向に指先を移動させる操作があった場合、指先の移動に伴い、表示中の表示画面上のボーダー模様の濃淡を該移動方向において変化させながら前記表示画面の切替えを行うことを特徴とする。
【００１２】
第６の発明に係るコンテンツ再生装置は、コンテンツデータを記憶している記憶手段と、前記記憶手段に記憶されているコンテンツデータに基づいてコンテンツの再生を行う再生手段と、第１〜第５のいずれかの発明に係る選択表示装置とを備え、前記選択表示装置は、再生したいコンテンツの検索を行うために用いられることを特徴とする。
【００１３】
第７の発明に係るプログラムは、第１〜第５のいずれかの発明に係る選択表示装置における制御手段としてコンピュータを機能させることを特徴とする。
【００１４】
第８の発明に係る選択表示方法は、各階層ごとに存在するメニューと、各階層ごとのメニューを画面に表示する表示手段と、前記画面において所望のメニューを所定の選択位置に位置させるためのスクロール、又は表示画面の切替えに関する指示操作を行わせるためのタッチパネルとを備えた選択表示装置における選択表示方法であって、前記表示手段により前記表示画面を表示し、前記タッチパネル上で指先を、前記スクロールの方向にほぼ平行な第１の方向に移動させる操作があった場合には、表示中の表示画面においてメニューの前記スクロールを行い、前記第１の方向にほぼ垂直な第２の方向に移動させる操作があった場合には、表示中の表示画面を、その上位の表示画面又は前記選択位置にあるメニューの下位のメニューを表示画面に表示するように切り替えることにより、表示画面と指示操作が一体的に表現できることを特徴とする。
【発明の効果】
【００１５】
本発明によれば、階層的に構成された各表示画面におけるメニューの選択をより容易に行うことができる。
【発明を実施するための最良の形態】
【００１６】
図１は本発明の一実施形態に係るデジタルオーディオプレーヤの構成を示すブロック図である。同図に示すようにこの装置は、装置各部の制御や音声の記録等の各種処理を行う処理部１１、処理部１１によってアクセスされる記憶部１２、処理部１１がユーザに対して必要な情報の表示を行うための表示部１３、処理部１１に対してユーザが指示する操作入力を行うための操作部１４、録音する音声を音声信号に変換して処理部１１に供給する音声入力部１５、及び処理部１１からの音声信号の出力を行う音声出力部１６を備える。さらに、ラジオ放送を受信するための構成や、記憶部１２に記憶されている写真を表示させる機能を備えていてもよい。
【００１７】
記憶部１２はハードディスクやフラッシュメモリ、磁気テープドライブ、ＭＤ、ＣＤ、ＤＶＤ等のドライブ装置等を用いて構成される。記憶部１２には、所定形式のファイルとして楽曲データが記録されており、また、処理部１１からの音声データが、所定形式のファイルとして記録される。所定形式としてはたとえば、ＭＰ３や、ＷＭＡ、ＡＡＣ、ＷＡＶが該当する。音声入力部１５にはマイクや外部機器等からの音声信号が入力される。
【００１８】
処理部１１は所定のプログラムに従い、操作部１４及び表示部１３を介したユーザインタフェース機能を実現し、楽曲データの検索や再生等に関するユーザの指示を受け入れ、指示に従った動作を行う。操作部１４には操作を受け入れるためのタッチパネルが含まれる。処理部１１は楽曲データの再生に際し、記憶部１２から楽曲データを読み出して音声信号に変換し、音声出力部１５に供給する。
【００１９】
図２は、表示部１３及び操作部１４を構成する液晶ディスプレイ及びタッチパネルを示す。同図（ａ）に示すように、表示部１３及び操作部１４は、液晶ディスプレイ２１に対し、バックライト２２を挟んでタッチパネル２３を重ねることにより構成される。タッチパネル２３の操作面は、液晶ディスプレイ２１の表示面に平行であり、面に垂直な方向から見て該表示面に一致している。同図（ｂ）に示すように、液晶ディスプレイ２１及びタッチパネル２３を別々の領域に配置するようにしてもよい。すなわち、液晶ディスプレイ２１上の表示画面が表示される表示面部分及びタッチパネル２３上の指示操作を行うための操作面部分によりプレーヤの前面が構成されるようにしてもよい。
【００２０】
図３は図１のプレーヤの操作方法を示す図である。同図（ａ）に示すように、プレーヤ３０の前面はＧＵＩ（グラフィックユーザインタフェース）面となっており、この面には表示画面等の表示が行われる表示領域３１及び表示画面等を見ながらユーザがメニューの選択等を行うための操作面３２が設けられている。表示領域３１における表示は図２の液晶ディスプレイ２１により行われる。操作面３２は図２のタッチパネル２３により構成される。表示画面の表示に際し、表示領域３１及び操作面３２で構成されるプレーヤ３０の前面全体に、複数の横縞で構成されるボーダー模様が形成される。メニューは表示領域３１におけるボーダー模様部分を構成する各縞の間に表示される。
【００２１】
このボーダー模様は、図２（ａ）のように液晶ディスプレイ２１及びタッチパネル２３を重ねた構成を有する場合には、そのすべてを液晶ディスプレイ２１によって描画することにより形成することができる。図２（ｂ）のように液晶ディスプレイ２１及びタッチパネル２３がずらして配置されている構成を有する場合には、表示領域３１上のボーダー模様は液晶ディスプレイ２１により形成され、操作面３２のボーダー模様はタッチパネル２３上に付された模様によって形成される。
【００２２】
図３（ａ）に示すように、プレーヤ３０を手で保持し、表示領域３１において表示される表示画面を見ながら、図３（ｂ）や（ｃ）のように、親指を操作面３２上で移動させ、ライン状の移動軌跡を形成することにより、表示画面に関連した所定の操作を行うことができる。所定の操作としては、たとえば、表示領域３１において表示されている表示画面における各メニューを上方向又は下方向に移動させる送り操作や、所定の選択位置に位置しているメニューについての下位の表示画面に移行する操作が該当する。この送り操作や移行操作は、従来、上下キー３４や左右キー３５により行われている操作に対応するものである。
【００２３】
本実施形態においては、送り操作は、図３（ｂ）に示されるように、操作面３２上において親指を上方向又は下方向に移動させながら操作面３２を親指でなぞることにより行うことができる。その際、親指の移動量及び移動速度に応じて送り量が決まる。たとえば、親指を所定の低速度でボーダー模様を構成する縞の１つ分を移動させた場合には、メニューの１つ分が送られる。親指を該低速度で縞の３つ分を移動させた場合には、メニューの３つ分が送られる。親指を所定の中速度で縞の３つ分を移動させた場合には、メニューの５つ分が送られる。親指を所定の高速度で縞の３つ分を移動させた場合には、メニューの１０個分が送られる。その際、送り方向は、親指を上方向又は下方向のいずれの方向に移動させるかによって区別することができる。
【００２４】
下位又は上位の表示画面への移行操作は、図３（ｃ）に示されるように、親指を所定の速度で所定の距離以上、ボーダー模様を構成する縞に沿って移動させることによって行うことができる。その際、操作面３２を親指で右方向になぞった場合には下位の階層の表示画面へ移行し、左方向になぞった場合には上位の階層の表示画面へ移行することができる。
【００２５】
図３中の３３は選択位置である。所望のメニューを選択するためには、そのメニューを、上述の送り操作によって選択位置３３に位置させる必要がある。選択位置３３に表示されるメニューは、他の位置に表示されているメニューよりも目立つように表示される。また、ボーダー模様を構成する各縞のうち、選択位置３３の近傍におけるものは、選択位置３３を中心として膨らんだように表示される。
【００２６】
図３においては、アーティスト検索により楽曲の検索を開始するまでの操作例が示されている。すなわち同図（ａ）のように、プレーヤ３０を手で保持し、電源を投入すると、同図（ｄ）のようにメインメニューが表示される。メインメニューには「ラジオ」、「記録」、「写真」、「音楽」等のメニューが列挙されている。選択位置３３には「写真」が表示されている。楽曲の検索を行うためには「音楽」を選択位置３３に位置させる必要がある。これを実行させるために、同図（ｂ）のように親指を上方向に、たとえば所定の低速度でボーダー模様を構成する縞の１つ分を移動させると、同図（ｅ）のように表示画面がボーダー模様とともに縞の１つ分だけスクロールし、１項目分だけメニューが送られる。これにより、同図（ｆ）のように「音楽」が選択位置３３に位置する。
【００２７】
この状態において、同図（ｃ）のように、所定の速度で所定の距離以上、ボーダー模様を構成する縞に沿って親指を右方向に移動させながら操作面３２を親指でなぞると、同図（ｇ）のように表示画面が左方向にスクロールし、同図（ｈ）のように「音楽」の下位の表示画面が現れる。この表示画面の切替えは、親指の移動に伴い、表示中の表示画面上のボーダー模様の濃淡を該移動方向において変化させながら行われる。新たな表示画面においては「アーティスト」が選択位置３３に位置しているので、そのまま、同様にして「アーティスト」の下位の表示画面へ移行し、アーティスト検索を行うことができる。
【００２８】
なお、アーティスト検索は、所望の楽曲を、その楽曲のアーティストから検索する楽曲の検索方式である。すなわち、その後、「アーティスト」の下位の表示画面として、そのアーティストに属するアルバムの表示画面を表示させ、当該楽曲が含まれるアルバムを選択位置３３に位置させ、同様にして下位の表示画面に移行し、その表示画面において表示される当該アルバムに含まれる楽曲から当該所望の楽曲を検索することができる。
【００２９】
図４は処理部１１による処理の一部を示すフローチャートである。この処理は、上述の表示画面の送り及び切替えを行う際の処理であり、所定のプログラムに従って行われる。処理を開始すると、まず、ステップ４１及び４７において、タッチパネル２１からの座標入力の有無及び処理の終了かどうかを監視する。この座標入力は図３（ｂ）や（ｃ）のように親指で操作面３２をなぞることにより行われるものである。座標入力があった場合には、ステップ４２へ進み、操作面３２における親指の移動距離及び移動速度を算出する。
【００３０】
次にステップ４３において、算出した移動距離及び移動速度に基づき、親指の移動が所定の上下方向への移動か否かを判定する。所定の上下方向への移動とは、上下方向と移動方向との成す角が所定の角度、たとえば３０度以下であり、移動の速さが所定値以上であり、かつ移動距離が所定以上であるような移動を意味する。所定の上下方向への移動であると判定した場合には、ステップ４４へ進み、ステップ４２において算出した移動距離及び移動速度に応じたメニューの項目数分だけ、つまりボーダー模様の縞の本数分だけ上方向又は下方向に、表示中のメニューをスクロールさせる。移動距離及び移動速度と、スクロール量との関係は上述したとおりである。なお、このとき、ステップ４２〜４４の処理を繰り返して分割して行うことにより、指の動きとスクロールによる画面の移動とが連動するようにしてもよい。その後、ステップ４１に戻る。
【００３１】
一方、ステップ４３において、所定の上下方向への移動ではないと判定した場合には、ステップ４５へ進み、親指の移動が所定の左右方向への移動であるか否かを判定する。所定の左右方向への移動とは、左右方向と移動方向との成す各が所定の角度、たとえば３０度以下であり、移動の速さが所定値以上であり、かつ移動距離が所定以上であるような移動を意味する。所定の左右方向への移動であると判定した場合にはステップ４６へ進み、移動方向に応じ、表示中の表示画面に代えて、その表示画面の上位又は下位の表示画面を表示させる。
【００３２】
すなわち、右方向への移動である場合には、表示中の表示画面において上述の選択位置３３上に位置するメニューの下位の表示画面を表示させる。たとえば表示中の表示画面が図３（ｈ）の画面であり、同図のように「アーティスト」が選択位置３３上に表示されている場合には、そのアーティストに属するアルバムの一覧を表示した表示画面に切り替わる。左方向への移動である場合には、表示中の表示画面が表示される前に表示されていた、その表示画面の上位の表示画面を表示させる。たとえば、表示中の表示画面が図３（ｈ）の画面である場合には、図３（ｆ）の画面に切り替わる。その際、表示画面を左右にスクロールさせたり、ボーダー模様の濃淡を左右方向において変化させるようにしてもよい。その際、ステップ４２、４３、４６の処理を繰り返し分割して行うことにより、指の動きと画面の変動とが連動するようにしてもよい。
【００３３】
ステップ４５において、所定の左右方向への移動ではないと判定した場合にはステップ４１へ戻る。また、ステップ４１において、電源オフ等の場合のように処理の終了であると判定した場合には、図４の処理を終了する。
【００３４】
本実施形態によれば、操作面３２及び表示領域３１において、全体的にボーダー模様を形成するようにしたため、操作面３２及び表示領域３１間の見た目における関連性が強いので、操作方法の説明がなくても感覚で、選択のための送り操作や表示画面の切替え操作を行うことができる。また、新しい不思議な操作感で操作を行うことができる。
【００３５】
また、操作面３２を上下方向又は左右方向に指でなぞることにより選択のための送り操作や表示画面の切替え操作を行うことができるようにしたため、これらの操作を容易に行うことができる。その際に、指の動きと表示画面の変動とがリンクするようにしたため、操作感を視覚的に認識することができる。また、操作内容を指の移動方向によって連想することができるので、違和感なく、自然な感じで操作を行うことができる。
【００３６】
なお、本発明は上述実施形態に限定されることなく、適宜変形して実施することができる。たとえば、上述においては、操作面３２から表示領域３１にかけてボーダー模様を形成するようにしているが、この代わりに、チェック、水玉、凹凸等の模様を形成し、それらの模様に応じた操作を行うようにしてもよい。
【００３７】
また、上述においては、プレーヤの形状を長方形のものとしているが、これ以外の形状としてもよい。また、楽曲の再生に合わせてボーダー模様が変化したり、他の模様が表示されたりするようにしてもよい。また、衣服のようにタグを付したり、布素材を使ったりしてもよい。また、プレーヤに接続するイヤホンや充電器にファッション的要素を加えるようにしてもよい。
【図面の簡単な説明】
【００３８】
【図１】本発明の一実施形態に係るデジタルオーディオプレーヤの構成を示すブロック図である。
【図２】図１のプレーヤにおける表示部及び操作部を構成する液晶ディスプレイ及びタッチパネルを示す図である。
【図３】図１のプレーヤの操作方法を示す図である。
【図４】図１のプレーヤにおける処理部による処理の一部を示すフローチャートである。
【符号の説明】
【００３９】
１１：処理部、１２：記憶部、１３：表示部、１４：操作部、１５：音声入力部、１６：音声出力部、２１：液晶ディスプレイ、２２：バックライト、２３：タッチパネル、３０：プレーヤ、３１:表示領域、３２：操作面、３３：選択位置、３４：上下キー、３５：左右キー。
【図１】
2009245012.tif 000003
【図２】
2009245012.tif 000004
【図３】
2009245012.tif 000005
【図４】
2009245012.tif 000006